(57)【要約】      （修正有）【課題】ラック取付け型スライド式取付金具に係り、ラックに搭載した通信系装置の位置を変更する際に、仕様の異なる取付金具の取付け／交換を不要として作業性に優れ、且つ通信を一時的に遮断させることなく変更作業を可能としたラック取付け型スライド式取付金具を提供する。【解決手段】通信系装置の筐体４１の前後方向に沿って当該筐体の左右側面に取り付くレール金具５５と、前記通信系装置を収納するラック４９の左右の支柱４５、４７に取り付き、前記レール金具に係合するスライド金具５７とからなり、前記レール金具は、夫々、一つのネジ挿通穴６９が上方に開口し、前記スライド金具は、前記ネジ挿通穴に対応して前後方向に複数のネジ取付穴が設けられている。【選択図】図１
2011176098.tif 000002
【特許請求の範囲】
【請求項１】
通信系装置の筐体の前後方向に沿って当該筐体の左右側面に取り付くレール金具と、
前記通信系装置を収納するラックの左右の支柱に取り付き、前記レール金具に係合するスライド金具とからなり、
前記レール金具は、夫々、一つのネジ挿通穴が上方に開口し、
前記スライド金具は、前記ネジ挿通穴に対応して前後方向に複数のネジ取付穴が設けられていることを特徴とするラック取付け型スライド式取付金具。
【請求項２】
前記レール金具は、断面略コ字状に折曲したガイド部が上下に対向配置された板材からなり、
前記スライド金具は、ラックの支柱に取り付くラック取付片と、前記ガイド部の内周に沿って折曲した係合部が形成された板材からなることを特徴とする請求項１に記載のラック取付け型スライド式取付金具。
【請求項３】
前記レール金具は、前記ガイド部が上下に対向配置された一枚の板材からなることを特徴とする請求項２に記載のラック取付け型スライド式取付金具。
【請求項４】
前記レール金具は、筐体の左右側面の上下に離間して取り付く二枚の板材からなり、夫々の板材に、一つの前記ガイド部が形成されていることを特徴とする請求項２に記載のラック取付け型スライド式取付金具。
【請求項５】
前記スライド金具は、前記ラック取付片を介してラックの支柱に取り付き、前記係合部が上下に形成された一枚の板材からなることを特徴とする請求項２に記載のラック取付け用金具。
【請求項６】
前記スライド金具は、前記ラック取付片を介してラックの支柱の上下に離間して取り付く二枚の板材からなり、夫々の板材に、一つの前記係合部が形成されていることを特徴とする請求項２に記載のラック取付け型スライド式取付金具。
【請求項７】
断面略コ字状に折曲した前記ガイド部の突出端に、内方へ折曲する保持片が形成されていることを特徴とする請求項２乃至請求項４のいずれか１項に記載のラック取付け型スライド式取付金具。
【請求項８】
前記ネジ挿通穴はレール金具の上下に形成され、前記ネジ取付穴はスライド金具の上下に形成されていることを特徴とする請求項１に記載のラック取付け型スライド式取付金具。
【発明の詳細な説明】
【技術分野】
【０００１】
本発明は、通信系装置をラックに取り付ける際に使用するラック取付け型スライド式取付金具に関する。
【背景技術】
【０００２】
一般的に通信系装置はラックに搭載して設置、通信運用を開始する。そこで、図１８に示すようにラック取付け用金具１が、通信系装置３の筐体５の前側の左右側面７にネジ止めされている。
【０００３】
図示するようにラック取付け用金具１は、一枚の板材の先端側を断面略Ｌ字状に折曲して形成されている。そして、その先端のラック取付片９側に設けられた複数のネジ取付穴１１と、図１９に示すようにラック１３の支柱１３ａ側に設けられた多数のネジ挿通穴１５を利用して、通信系装置３が左右の支柱１３ａ間にラック取付け用金具１を介して取り付けられており、通信系装置３はその前面側が左右の支柱１３ａと面一に設置される。
【０００４】
そして、図１９に示すように通信系装置３の前面側のコネクタに複数の通信用ケーブル１７が接続され、また、仕様に応じラック１３の左右の支柱１３ａに配線用金具１９を取り付けて、通信用ケーブル１７の配線処理を行っている。
【０００５】
しかし、図１９に示すように通信系装置３に接続した通信用ケーブル１７のフォーミングによって、これらがラック１３の前方へ大きく出っ張ってしまう事態が生じ、運用中に何かが引っ掛かって通信用ケーブル１７が外れてしまうと、通信傷害を引き起こしてしまう虞がある。
【０００６】
そこで、この対策として、図２０に示すようにラック取付け用金具１を取り外し、通信系装置３をラック１３の左右の支柱１３ａから後方へ引っ込めるための専用金具２１を筐体５の左右の側面７に新たにネジ止めし、また、必要な場合には棚状の余長処理用金具２３を用い、これらをラック１３の左右の支柱１３ａにネジ止めして通信用ケーブル１７の余長処理を行うスペースを確保している。
【０００７】
しかし乍ら、前記従来例は、図２０の如く通信系装置３を後方へ引っ込める際に、標準金具として筐体に取り付くラック取付け用金具１を一度取り外した後、オプション用の専用金具１７に付け替えなければならない煩わしさがあった。
【０００８】
而も、通信運用時に専用金具１７に交換する場合、一度通信系装置３を止め、ラック１３から通信系装置３を下ろして専用金具１７へ交換するため、通信が一時遮断してしまう不具合が指摘されていた。
【０００９】
更に、ラック取付け用金具１から専用金具１７への交換作業の際に、複数箇所のネジ止め作業が必要となって、作業性が悪い欠点も指摘されていた。
【００１０】
一方、特許文献１には、例えば光分配器に光信号を入力する入力用光ケーブルと光分配器から出力される複数の出力用光ケーブルを収納しラック内に設置する収納ラックマウント型ケースに於て、ケーブルを整理し収容するケース前面の空間を変更する作業を容易に行えるようにした技術が提案されている。
【００１１】
即ち、図２１乃至図２５に示すようにこの従来例は、ケース２５をラック２７に固定するため、ケース２５の左右側面に取り付ける左右一対の取付金具２９の取付穴３１、３３を、左右２本宛の取付ネジ３５が位置する複数のネジ取付部３７と、これら複数のネジ取付部３７を連結する連結部３９からなるネジ貫通穴として、ケース２５前面の空間を変更する場合、ケース２５の左右方向から取付ネジ３５を緩め、ケース２５をネジ取付部３７から上方へ移動させて、緩められた取付ネジ３５を連結部３９を通して目的とするネジ取付部３７に移動させて締め付けることにより、取付ネジ３５及び取付金具２９をケース２５から分離することなくケース２５の位置を変更可能としたものである。
【先行技術文献】
【特許文献】
【００１２】
【特許文献１】特開２００６−３５１８０２号公報
【発明の概要】
【発明が解決しようとする課題】
【００１３】
しかし、特許文献１に開示された従来例は、ラックが図２１の如く左右側面が閉塞されたボックス型のラック２７であると、ケース２５の位置を変更する際にケース２５の左右方向から取付ネジ３５を緩めることができず、どのように左右方向から取付ネジ３５を緩めるのか不明である。
【００１４】
また、使用する取付ネジ３５の本数も多いため、複数箇所のネジ止め作業が必要となって作業性が悪く、更にまた、図２６の如く複数のケース２５が取付金具２９を介してラック２７内に殆ど隙間なく積層、収納されていると、ケース２５前面の空間を変更しようとケース２５の左右にネジ止めされた取付ネジ３５を緩めても、ケース２５をネジ取付部３７から上方へ移動させることができず、この結果、上方に収納されているケース２５を、一度ラック２７から取り外さなければならない等の欠点もある。
【００１５】
本発明は斯かる実情に鑑み案出されたもので、ラックに搭載した通信系装置の位置を変更する際に、仕様の異なる複数種の取付金具の取付け／交換を不要として作業性に優れ、且つ通信を一時的に遮断させることなく変更作業を可能としたラック取付け型スライド式取付金具を提供することを目的とする。
【課題を解決するための手段】
【００１６】
斯かる目的を達成するため、請求項１に係るラック取付け型スライド式取付金具は、通信系装置の筐体の前後方向に沿って当該筐体の左右側面に取り付くレール金具と、前記通信系装置を収納するラックの左右の支柱に取り付き、前記レール金具に係合するスライド金具とからなり、前記レール金具は、夫々、一つのネジ挿通穴が上方に開口し、前記スライド金具は、前記ネジ挿通穴に対応して前後方向に複数のネジ取付穴が設けられていることを特徴とする。
【００１７】
そして、請求項２に係る発明は、請求項１に記載のラック取付け型スライド式取付金具に於て、前記レール金具は、断面略コ字状に折曲したガイド部が上下に対向配置された板材からなり、前記スライド金具は、ラックの支柱に取り付くラック取付片と、前記ガイド部の内周に沿って折曲した係合部が形成された板材からなることを特徴とする。
【００１８】
また、請求項３に係る発明は、請求項２に記載のラック取付け型スライド式取付金具に於て、前記レール金具は、前記ガイド部が上下に対向配置された一枚の板材からなることを特徴とし、請求項４に係る発明は、請求項２に記載のラック取付け型スライド式取付金具に於て、前記レール金具は、筐体の左右側面の上下に離間して取り付く二枚の板材からなり、夫々の板材に、一つの前記ガイド部が形成されていることを特徴とする。
【００１９】
更に、請求項５に係る発明は、請求項２に記載のラック取付け型スライド式取付金具に於て、前記スライド金具は、前記ラック取付片を介してラックの支柱に取り付き、前記係合部が上下に形成された一枚の板材からなることを特徴とし、請求項６に係る発明は、請求項２に記載のラック取付け型スライド式取付金具に於て、前記スライド金具は、前記ラック取付片を介してラックの支柱の上下に離間して取り付く二枚の板材からなり、夫々の板材に、一つの前記係合部が形成されていることを特徴とする。
【００２０】
そして、請求項７に係る発明は、請求項２乃至請求項４のいずれか１項に記載のラック取付け型スライド式取付金具に於て、断面略コ字状に折曲した前記ガイド部の突出端に、内方へ折曲する保持片が形成されていることを特徴とし、請求項８に係る発明は、請求項１に係るラック取付け型スライド式取付金具に於て、前記ネジ挿通穴はレール金具の上下に形成され、前記ネジ取付穴はスライド金具の上下に形成されていることを特徴とする。
【発明の効果】
【００２１】
各請求項に係る発明によれば、ラックに収納した通信系装置の筐体を支柱の後方へ引っ込める場合に、金具の交換をせず、左右のレール金具とスライド金具を固定する２本のネジを取り外して筐体をスライド金具に沿って後方へスライドさせるだけでよいため、専用のオプション用の金具が不要になって、従来に比し部品点数の削減が図られると共に、２箇所のネジ止め作業で固定が可能になる等、設置時の作業性が大幅に向上することとなった。
【００２２】
また、筐体をラックに搭載したままで筐体を後方へ移動させることができるため、金具の交換のために一度通信系装置を止めてラックから通信系装置を下ろす必要がない等の優れた利点を有する。
【００２３】
そして、請求項３、請求項５及び請求項８に係る発明によれば、レール金具とスライド金具は上下を反転して使用可能であるから、一種類のレール金具とスライド金具を用意しておけばよく、部品管理が容易であると共に、一個宛のレール金具とスライド金具を筐体の左右の側面や左右の支柱に夫々ネジ止めすればよいため、作業性に優れた利点を有する。
【００２４】
一方、請求項４及び請求項６に係る発明によれば、高さ寸法の異なる総ての通信系装置の筐体の取り付けに用いることができる利点を有する。
【００２５】
そして、請求項７に係る発明によれば、筐体の左右の側面に取り付くレール金具にスライド金具を係合させる際に、ガイド部に係合させたスライド金具が前方へ突出して自重で下方へズレようとしても、ガイド部に設けた保持片がスライド金具を保持してそのズレを防止するため、スライド金具に部分的な負荷が掛かって変形することがない利点を有する。
【図面の簡単な説明】
【００２６】
【図１】請求項１乃至請求項３、請求項５、請求項７、請求項８の一実施形態に係るラック取付け型スライド式取付金具を用いてラックに取り付く通信系装置の筐体の平面図である。
【図２】図１に示す通信系装置の筐体の正面図である。
【図３】図１に示す通信系装置の筐体の側面図である。
【図４】ラック取付け型スライド式取付金具の斜視図である。
【図５】レール金具が取り付く通信系装置の筐体の平面図である。
【図６】図５に示す通信系装置の筐体の正面図である。
【図７】図５に示す通信系装置の筐体の側面図である。
【図８】スライド金具の側面図である。
【図９】スライド金具の平面図である。
【図１０】スライド金具の正面図である。
【図１１】ラック取付け型スライド式取付金具を用いて後方へ移動させた筐体の平面図である。
【図１２】図１１に示す筐体の側面図である。
【図１３】請求項１、請求項２、請求項４、請求項６乃至請求項８の一実施形態に係るラック取付け型スライド式取付金具の分割レール金具が取り付く通信系装置の筐体の正面図である。
【図１４】図１３に示す筐体の側面図である。
【図１５】分割スライド金具の側面図である。
【図１６】分割スライド金具の正面図である。
【図１７】ラック取付け型スライド式取付金具を用いてラックに取り付く筐体の側面図である。
【図１８】従来のラック取付け用金具が取り付く通信系装置の筐体の斜視図である。
【図１９】ラック取付け用金具を介してラックに取り付く通信系装置の筐体の斜視図である。
【図２０】専用金具と余長処理用金具を介してラックに取り付く通信系装置の筐体の斜視図である。
【図２１】ケースを収納したラックの斜視図である。
【図２２】特許文献１に開示された取付金具の斜視図である。
【図２３】特許文献１に開示された取付金具の斜視図である。
【図２４】取付金具が取り付くケースの斜視図である。
【図２５】取付金具が取り付くケースの斜視図である。
【図２６】複数のケースを積層収納したラックの斜視図である。
【発明を実施するための形態】
【００２７】
以下、本発明の実施形態を図面に基づいて詳細に説明する。
【００２８】
図１乃至図１２は請求項１乃至請求項３、請求項５、請求項７、請求項８に係るラック取付け型スライド式取付金具の一実施形態を示し、図１乃至図３に於て、４１は通信系装置４３の筐体、４５、４７は複数の通信系装置４１等を上下に収納するラック４９の前側の左右の支柱で、図１に示すように左右の支柱４５、４７は、夫々、断面Ｌ字状に形成されている。
【００２９】
そして、筐体４１の左右の側面５１、５３に、上下を反転して使用可能、即ち、上下対称に形成されたレール金具５５が取り付き、左右の支柱４５、４７に、当該レール金具５５に係合するスライド金具５７が取り付けられており、スライド金具５７も上下を反転して使用可能な上下に対称な形状とされている。
【００３０】
図４乃至図７に示すようにレール金具５５は、断面略コ字状に折曲したガイド部５９、６１が、筐体４１の前後方向に沿って上下に対向配置された一枚の鋼材（板材）からなり、両ガイド部５９、６１の突出端には、更に内方へＬ字状に折曲する保持片６２が設けられている。
【００３１】
そして、図７に示すようにレール金具５５は、筐体４１の前面６３から後方へ僅かにずらして筐体４１の左右の側面５１、５３にネジ止めされているが、図６及び図７に示すようにレール金具５５は、筐体４１の縦寸法Ｌより短寸に設定されると共に、筐体４１の高さ寸法Ｈと同一寸法に形成されて、ガイド部５９、６１が、夫々、筐体４１の上面６５と下面６７に面一となって左右の側面５１、５３に固定されている。そして、図１に示すようにガイド部５９、６１には、筐体４１の上下方向に開口する一つのネジ挿通穴６９が筐体４３の前面６３側に設けられている。
【００３２】
一方、図４、図８乃至図１０に示すようにスライド金具５７は、ラック４９の左右の支柱４５、４７側に設けられた複数のネジ取付穴（図示せず）に対応して上下にネジ挿通穴７１が形成された短冊状のラック取付片７３と、当該ラック取付片７３から断面Ｌ字状に連設された側面視矩形状のスライド金具本体７５とで構成されており、スライド金具５７も一枚の鋼材（板材）で形成されている。
【００３３】
そして、スライド金具本体７５の上下には、前記ガイド部５９、６１の内周形状に沿って断面Ｌ字状に折曲された係合部７７、７９が設けられており、既述したようにスライド金具５７も、上下を反転して使用可能な上下対称な形状とされている。そして、図４に示すように断面略コ字状に形成されたガイド部５９、６１内に、断面Ｌ字状の係合部７７、７９を係合させると、レール金具５５とスライド金具５７とからなる本実施形態のラック取付け型スライド式取付金具８１を介して、筐体４１がラック４９の前後方向にスライドできるようになっている。
【００３４】
更に、図８及び図９に示すようにガイド部５９、６１のネジ挿通穴６９に対応して係合部７７、７９には、３つのネジ取付穴８３が所定間隔を空けて係合部７７、７９の前後方向に設けられており、図１に示すように最も前側のネジ取付穴８３をネジ挿通穴６９に一致させてネジ取付穴８３にネジ（図４中、符号８５）を螺着すると、筐体４１の前面６３がラック４９の左右の支柱４５、４７と面一になって、筐体４１がラック４９に固定されるようになっている。
【００３５】
そして、斯様に筐体４１の前面６３が支柱４５、４７と面一になってラック４９に固定されている状態から、筐体４１を支柱４５、４７の後方へ引っ込ませる場合、筐体４１の上方からネジ８５を緩めて取り外した後、図１１及び図１２の如くスライド金具５７に沿って筐体４１を後方へスライドさせて、次のネジ取付穴８３とネジ挿通穴６３を一致させてネジ取付穴８３にネジ８５を締め付ければよい。
【００３６】
尚、本実施形態では、上下のガイド部５９、６１にネジ挿通穴６９、そして、上下の係合部７７、７９にネジ取付穴８３を設けているため、例えば筐体４１を背の高いラック４９の上方に収納する場合には、下側のネジ挿通穴６９とネジ取付穴８３を利用して筐体４１をラック４９にネジ止めすればよい。
【００３７】
本実施形態はこのように構成されているから、ラック取付け型スライド式取付金具８１（レール金具５５とスライド金具５７）を用いて通信系装置４３の筐体４１をラック４９に収納するには、一例として先ず、筐体４１の左右の側面５１、５３にレール金具５５をネジ止めし、左右のレール金具５５の上下のガイド部５９、６１に、夫々、スライド金具５７の係合部７７、７９を係合させる。このとき、レール金具５５から前方へ突出しているスライド金具５７が自重で下方へズレようとしても、ガイド部５９、６１に設けた保持片６２がスライド金具５７を保持してそのズレを防止する。
【００３８】
そして、左右上部の係合部７７、７９の最も前側のネジ取付穴８３を、左右上部のガイド部５９、６１のネジ挿通穴６９に一致させて、夫々に１本のネジ８５を仮止めしておく。
【００３９】
次いで、これらをセットにして、ラック４９の左右の支柱４５、４７の正面側から左右のスライド金具５７のラック取付片７３を支柱４５、４７にネジ止めして、仮止めしていた左右のネジ８５を強固に締め付ければ、図１に示すように筐体４１の前面６３がラック４９の左右の支柱４５、４７と面一になって筐体４１がラック４９に固定され、この後、通信用ケーブルが筐体４１の前面６３のコネクタ（図示せず）に接続されて通信運用が開始される。
【００４０】
一方、例えば通信用ケーブルの余長処理を行うスペースを通信系装置４１の前側に確保するために、通信系装置４３を左右の支柱４５、４７から後方へ引っ込める必要が生じた場合には、既述したように上方からネジ８５を緩めてこれを取り外した後、図１１及び図１２の如くスライド金具５７に沿って筐体４１を後方へスライドさせて、次のネジ取付穴８３或いは最も奥のネジ取付穴８３にネジ挿通穴６３を一致させてネジ取付穴８３に左右１本宛のネジ８５を締め付ければよい。
【００４１】
このように本実施形態によれば、筐体４１の前後方向に沿って左右の側面５１、５３にレール金具５５を取り付け、そして、ラック４９の前側の左右の支柱４５、４７にスライド金具５７を取り付けておけば、図１の如く筐体４１の前面６３が左右の支柱４５、４７と面一になってラック４９に固定された状態から、筐体４１を支柱４５、４７の後方へ引っ込める場合に、図１８乃至図２０の従来例と異なり、
[1]金具の交換をせず、左右２本のネジ８５を取り外して筐体４１をスライド金具５７に沿って後方へスライドさせるだけでよいため、専用のオプション用の金具が不要になって、従来に比し部品点数の削減が図られると共に、２箇所のネジ止め作業で固定が可能になる等、設置時の作業性が大幅に向上することとなった。
【００４２】
また、
[2]通信系装置４３をラック４９に搭載したままで通信系装置４３を後方へ移動させることができるため、金具の交換のために一度通信系装置４３を止めてラック４９から通信系装置４３を下ろす必要がない、等の優れた利点を有する。
【００４３】
更にまた、
[3]レール金具５５とスライド金具５７は上下対称に形成されて、上下を反転して使用可能であるから、一種類のレール金具５５とスライド金具５７を用意しておけばよく、これらの部品管理が容易であると共に、一個宛のレール金具５５とスライド金具５７を筐体４１の側面５１、５３や支柱４５、４７に夫々ネジ止めすればよいため、作業性に優れた利点を有する。
【００４４】
そして、
[4]筐体４１の左右の側面５１、５３に取り付くレール金具５５にスライド金具５７を係合させる際に、ガイド部５９、６１に係合させたスライド金具５７が前方へ突出して自重で下方へズレようとしても、ガイド部５９、６１に設けた保持片６２がスライド金具５７を保持してそのズレを防止するため、スライド金具５７に部分的な負荷が掛かって変形することがない等、本実施形態によれば、多くの優れた作用効果を有している。
【００４５】
図１３乃至図１７は、請求項１、請求項２、請求項４、請求項６乃至請求項８の一実施形態に係るラック取付け型スライド式取付金具を示し、前記実施形態では、レール金具５５とスライド金具５７を、夫々、一枚の鋼材（板材）で形成したが、図示するように本実施形態は、筐体４１の左右の側面５１、５３に取り付くレール金具５５-1を、側面５１、５３の上下に離間配置された二枚の板材からなる分割レール金具５５-1ａ、５５-1ｂで形成すると共に、ラック４９の左右の支柱４５、４７に取り付くスライド金具５７-1を、支柱４５、４７の上下に離間して取り付く二枚の板材からなる分割スライド金具５７-1ａ、５７-1ｂで形成したものである。
【００４６】
そして、図１３に示すように、一方の分割レール金具５５-1ａ側に、断面略コ字状に折曲された前記ガイド部５９を筐体４１の前後方向に亘って形成し、他方の分割レール金具５５-1ｂ側に、断面略コ字状に折曲された前記ガイド部６１を筐体４１の前後方向に亘って形成しており、筐体４１の左右の側面５１、５３に分割レール金具５５-1ａ、５５-1ｂをネジ止めすることで、両ガイド部５９、６１が上下に離間して対向配置されるようになっている。
【００４７】
尚、前記実施形態と同様、ガイド部５９、６１の突出端には保持片６２が形成されると共に、ネジ挿通穴６９が設けられている。
【００４８】
一方、図１５(ａ)、(ｂ)及び図１６(ａ)、(ｂ)に示すように、分割スライド金具５７-1ａ、５７-1ｂは、前記スライド金具５７と同様、ネジ挿通穴７１が設けられた正面視矩形状の分割ラック取付片７３-1と、当該分割ラック取付片７３-1から断面Ｌ字状に連設された側面視帯状の分割スライド金具本体７５-1とで構成されている。
【００４９】
そして、一方の分割スライド金具本体７５-1に、前記ガイド部５９の内周形状に沿って断面Ｌ字状に折曲された係合部７７が形成され、他方の分割スライド金具本体７５-1に、前記ガイド部６１の内周形状に沿って断面Ｌ字状に折曲された係合部７９が形成されており、図１７に示すようにラック４９の支柱４５、４７の上下に分割スライド金具５７-1ａ、５７-1ｂをネジ止めすると、両係合部７７、７９が上下に離間して対向配置されるようになっている。そして、前記実施形態と同様、係合部７７、７９には前記ネジ挿通穴６９に対応して３つのネジ取付穴８３が所定間隔を空けて設けられている。
【００５０】
尚、その他の構成は前記実施形態と同様であるので、同一のものには同一符号を付してそれらの説明は省略する。
【００５１】
本実施形態はこのように構成されており、本実施形態によっても前記実施形態と同様、所期の目的を達成することが可能で、金具の交換をせず、左右２本のネジ８５を取り外して筐体４１をスライド金具５７-1（分割スライド金具５７-1ａ、５７-1ｂ）に沿って後方へスライドさせるだけでよいため、専用のオプション用の金具が不要になって、従来に比し部品点数の削減が図られると共に、２箇所のネジ止め作業で固定が可能になる等、従来に比し設置時の作業性が大幅に向上する。
【００５２】
また、通信系装置４３をラック４９に搭載したままで通信系装置４３を後方へ移動させることができるため、金具の交換のために一度通信系装置４３を止めてラック４９から通信系装置４３を下ろす必要がない。
【００５３】
そして、本実施形態は、レール金具５５-1を、筐体４１の左右の側面５１、５３の上下に離間配置された二枚の板材からなる分割レール金具５５-1ａ、５５-1ｂで形成すると共に、ラック４９の左右の支柱４５、４７に取り付くスライド金具５７-1を、支柱４５、４７の上下に離間して取り付く二枚の板材からなる分割スライド金具５７-1ａ、５７-1ｂで構成したため、高さ寸法の異なる総ての通信系装置の筐体の取り付けに用いることができる利点を有する。
【００５４】
尚、図１３乃至図１７の実施形態に代え、例えば前記レール金具５５と前記分割スライド金具５７-1ａ、５７-1ｂを組み合わせて使用してもよく、斯かる実施形態によっても、既述した各実施形態と同様、所期の目的を達成することが可能である。
【符号の説明】
【００５５】
４１  筐体
４３  通信系装置
４５、４７  支柱
４９  ラック
５１、５３  側面
５５、５５-1  レール金具
５５-1ａ、５５-1ｂ  分割レール金具
５７、５７-1  スライド金具
５７-1ａ、５７-1ｂ  分割スライド金具
５９、６１  ガイド部
６２  保持片
６３  筐体の前面
６９、７１  ネジ挿通穴
７３、７３-1  ラック取付片
７５  スライド金具本体
７５-1  分割スライド金具本体
７７、７９  係合部
８１  ラック取付け型スライド式取付金具
８３  ネジ取付穴
８５  ネジ
【図１】
2011176098.tif 000003
【図２】
2011176098.tif 000004
【図３】
2011176098.tif 000005
【図４】
2011176098.tif 000006
【図５】
2011176098.tif 000007
【図６】
2011176098.tif 000008
【図７】
2011176098.tif 000009
【図８】
2011176098.tif 000010
【図９】
2011176098.tif 000011
【図１０】
2011176098.tif 000012
【図１１】
2011176098.tif 000013
【図１２】
2011176098.tif 000014
【図１３】
2011176098.tif 000015
【図１４】
2011176098.tif 000016
【図１５】
2011176098.tif 000017
【図１６】
2011176098.tif 000018
【図１７】
2011176098.tif 000019
【図１８】
2011176098.tif 000020
【図１９】
2011176098.tif 000021
【図２０】
2011176098.tif 000022
【図２１】
2011176098.tif 000023
【図２２】
2011176098.tif 000024
【図２３】
2011176098.tif 000025
【図２４】
2011176098.tif 000026
【図２５】
2011176098.tif 000027
【図２６】
2011176098.tif 000028